(57)【特許請求の範囲】
【請求項１】
開口部を有し、碍子の一部を内部に侵入させることのできる弾性変形可能な取付け部と、
前記取付け部の内部の表面を前記碍子に密着させる締付け手段と、
前記取付け部の外部で開閉機構が組み込まれた取り囲み部材を有し、碍子から脱落したバインド線が巻き付いたままの電線を取り囲む状態にできる電線の確保部と、
前記取付け部の外部の表面に設けられる一つ以上の把持用部分と、
を備える電線預け用キャップ。
【請求項２】
前記締付け手段は、前記取付け部の外部の表面から前記取付け部を締め付けるバンド部材を含む請求項１に記載の電線預け用キャップ。
【請求項３】
前記電線の確保部における前記開閉機構は、前記取り囲み部材に囲まれる領域の内側に移動する方向に開き、所定の外力が加えられないときは前記取り囲み部材として機能する閉じた状態を維持するゲートを含む請求項１または２に記載の電線預け用キャップ。
【請求項４】
前記電線の確保部における前記開閉機構は、前記取り囲み部材に囲まれる領域の外側に移動する方向に開き、前記取り囲み部材として機能する閉じた状態ではロック可能なゲートを含む請求項１または２に記載の電線預け用キャップ。
【発明の詳細な説明】
【技術分野】
【０００１】
本発明は、碍子に仮に取付ける碍子の付属具に関し、特に、バインド線の不具合等で電線が碍子から脱落した場合に、早急に送電（仮送電）ができるようにする電線預け用キャップに関する。
【背景技術】
【０００２】
従来、電線を架設する電柱などには、電線を支持する碍子及びこの碍子を固定する金属製の腕金が取付けられている。電柱における電線の引き通し箇所では、バインド線の不具合等で電線が碍子から脱落し、腕金に接触する場合がある。バインド線は、一般に金属線に絶縁材料を被覆したものであり、風雨や直射日光にさらされることから、絶縁材料が摩耗や損傷を起こしやすい。また、強風等により電線が揺動を繰り返すと、バインド線が電線に食い込み、絶縁材料が電線と擦れて摩耗し、電線を介してバインド線が充電される恐れがある。このようにバインド線が充電された電線が、碍子から脱落して腕金に接触した場合、電線と腕金との間に地絡事故を引き起こすという危険性もある。
【０００３】
このように、バインド線が巻き付いた状態の電線が碍子から脱落して腕金に接触している場合、地絡事故を防ぐために、早急に電線を腕金から離し、電線を元どおりに碍子に取り付けた状態にする必要がある。また、地絡事故の心配がなければ、電線をなるべく停電させずに活線状態のまま元どおりに碍子に取り付けた状態にすることが望まれる。活線作業ではホットスティック等を利用する間接活線作業用工具が用いられる（間接活線工法）。
【０００４】
関連する技術としては、特許文献１の電線架設部材の取付具を参照する。電線を支持させるピン碍子や引留碍子などの架設部材が損傷した場合に、早急にその電線を架設し直すことを可能にするものである。腕金に空いている貫通穴などを必要とすることなく、架設部材の連結部をその腕金に取り付けた取付部の被連結部に連結させることができ、例えば、倒木などにより既存の腕金の被連結部が再利用不能に損傷している場合でも、その腕金を交換することなく、健全な被連結部をその腕金に早期に取り付けて架設部材を連結することができる。したがって、損傷した架設部材の連結されている腕金を交換することなく、追加した健全な架設部材に電線を架設支持させることができ、早急に送電を再開して復旧作業を短時間に完了することができる。
【先行技術文献】
【特許文献】
【０００５】
【特許文献１】特開２００８−２３６９６３号公報
【発明の概要】
【発明が解決しようとする課題】
【０００６】
特許文献１の電線架設部材の取付具は、腕金に被せてボルト締めする構成が示されており、相応の工数がかかる。また、碍子から脱落したバインド線が巻き付いたままの電線の場合、まず、電線に巻き付いたバインド線を取り外す作業を考え、バインド線の取り外しに時間を要する懸念がある。活線作業では間接活線工法が必須であり、電線やバインド線の扱いはより困難で相当の時間がかかる。
【０００７】
本発明は、上記事情を考慮してなされたものであり、その目的は、碍子から脱落したバインド線が巻き付いたままの電線を、仮送電（または仮復旧）でもよいから、なるべく短時間で安全に送電できるようにするための電線預け用キャップを提供することにある。
【課題を解決するための手段】
【０００８】
（１）本発明の電線預け用キャップに係る一実施態様は、開口部を有し、碍子の一部を内部に侵入させることのできる弾性変形可能な取付け部と、該取付け部の内部の表面を前記碍子に密着させる締付け手段と、前記取付け部の外部で開閉機構が組み込まれた取り囲み部材を有する電線の確保部と、前記取付け部の外部の表面に設けられる一つ以上の把持用部分と、を備える。
【０００９】
（１）の電線預け用キャップの構成によれば、取付け部の開口部が碍子の一部、好ましくは碍子の上部に被せられ、取付け部が締付け手段によって碍子に密着固定される。取付け部を、碍子に被せたり、締付け固定したりする際には間接活線工法が用いられる。したがって、把持用部分は、間接活線作業用工具で挟持するのに利便性が高いところに設けられることが好ましい。電線の確保部では、開閉機構を介して取り囲み部材に囲まれる領域内に電線を移動させて、電線の周辺を取り囲む状態にする。取り囲み部材は、上記開口部ほど弾性変形の必要はなく、ある程度の剛性を有して、かつ電線が勢いよく接触しても電線の被覆が損傷しないような部材で構成される。また、取り囲み部材は、バインド線が巻き付いたままの電線も取り囲める領域を有することが好ましい。これにより、碍子から脱落したバインド線が巻き付いたままの電線を、碍子に簡易に固定される電線預け用キャップに仮に預け、早急に安全な仮送電（または仮復旧）の状態にできる。
【００１０】
（２）本発明の電線預け用キャップに係る一実施態様に関し、上記（１）において、締付け手段は、取付け部の外部の表面から取付け部を締め付けるバンド部材を含む。バンド部材は、好ましくはケーブルタイ（結束バンド）の利用が考えられる。取付け部の外部周辺にケーブルタイを設置して、取付け部を外部周囲から締め付ける。これにより、碍子への安定した固定が簡易に達成できる。また、碍子への固定が不要になった場合はケーブルタイを外すか切断すればよい。これにより、碍子への着脱が簡単にできる電線預け用キャップが提供できる。
【００１１】
（３）本発明の電線預け用キャップに係る一実施態様に関し、上記（１）において、電線の確保部における開閉機構は、取り囲み部材に囲まれる領域の内側に移動する方向に開き、所定の外力が加えられないときは、取り囲み部材として機能する閉じた状態を維持するゲートを含む。つまり、ゲートを介して取り囲み部材に囲まれる領域内に押し入れられた電線は、電線の確保部として取り囲み部材に取り囲まれたままの状態を維持する。取り囲み部材は、上記したように、バインド線が巻き付いたままの電線も取り囲める領域を有することが望ましい。これにより、碍子から脱落したバインド線が巻き付いたままの電線を、取り囲み部材で確保することによって碍子上に仮に預けられる形態をとることができる。
【００１２】
（４）本発明の電線預け用キャップに係る一実施態様に関し、上記（１）において、電線の確保部における開閉機構は、取り囲み部材に囲まれる領域の外側に開き、取り囲み部材として機能する閉じた状態ではロック可能なゲートを含む。つまり、ゲートを開いて取り囲み部材に囲まれる領域内に電線が移動され、ゲートを閉じてロックする。これにより、電線は、電線の確保部として取り囲み部材に取り囲まれたままの状態を維持する。取り囲み部材は、上記したように、バインド線が巻き付いたままの電線も取り囲める領域を有することが望ましい。これにより、碍子から脱落したバインド線が巻き付いたままの電線を、取り囲み部材で確保することによって碍子上に仮に預けられる形態をとることができる。
【発明の効果】
【００１３】
本発明によれば、碍子から、バインド線が巻き付いたままの電線が脱落したとしても、巻き付いたバインド線の処置は後回しにして安全な仮送電（または仮復旧）を最優先させる電線預け用キャップを提供することができる。
【図面の簡単な説明】
【００１４】
【図１】本発明の一実施形態に係る電線預け用キャップの外観図である。
【図２】図１の電線預け用キャップの使用例を順次示す第１の外観図である。
【図３】図１の電線預け用キャップの使用例を順次示す第２の外観図である。
【図４】図１の電線預け用キャップの使用例を順次示す第３の外観図である。
【図５】図１の電線預け用キャップの構成の部分的な変形例を示す概観図である。
【図６】図１の電線預け用キャップの構成の部分的な変形例を示す概観図である。
【図７】図１の電線預け用キャップの構成の部分的な変形例を示す概観図である。
【図８】図１の電線預け用キャップの構成の部分的な変形例を示す概観図である。
【図９】図１の電線預け用キャップの構成の部分的な変形例を示す概観図である。
【発明を実施するための形態】
【００１５】
図１は、本発明の一実施形態に係る電線預け用キャップの外観図である。電線預け用キャップ１００は、碍子への取付け部１０と、取付け部１０の締付け手段としてのバンド部材２０と、取付け部１０の外部で電線の周辺を取り囲む電線の確保部３０と、取り扱いに便利な把持用部分４０と、を含んで構成される。以下、各構成を詳細に説明する。
【００１６】
取付け部１０は、耐候性、絶縁性に優れた可撓性を有する合成樹脂により形成され、弾性変形可能な開口部１０１を有して碍子の一部を内部に侵入させることができる。上記合成樹脂材料としては、難燃性のポリエチレン樹脂、シリコーン、ＥＶＡ樹脂やＥＰゴム等の高分子材料が考えられる。
【００１７】
バンド部材２０は、取付け部１０の外部の表面から取付け部１０を締め付けるものであって、この実施形態ではケーブルタイ（結束バンド）２０１を用いている。すなわち、取付け部１０の外部周辺にケーブルタイ２０１を設置して締め付けることにより、取付け部１０の内部の表面を碍子に密着させる。
【００１８】
ケーブルタイ２０１は、取扱い上、ヘッド部２０１ｈにテール部２０１ｔを通してリング状にされたものを用いることが好ましい。ケーブルタイ２０１は、バンド部の一部を予め取付け部１０の外部の表面に付帯させ、締め付け時に締め付けるようにしてもよいし、別個に後から取付け部１０の周囲に配置させて、締め付け時に締め付けるようにしてもよい。
【００１９】
電線預け用キャップ１００が不要になったとき、ケーブルタイ２０１を切断することによって、電線預け用キャップ１００は、碍子から容易に取り外すことができる。また、ケーブルタイ２０１においては、取り外し可能で繰り返し使えるタイプもある。このような、切断しなくても取り外しが可能なケーブルタイ２０１を用いてもよい。
【００２０】
電線の確保部３０は、取付け部１０の外部で開閉機構としてのゲート３０１が組み込まれた取り囲み部材３０２を有する。取り囲み部材３０２は、上記開口部１０１ほど弾性変形の必要はなく、ある程度の剛性を有して、かつ電線が勢いよく接触しても電線の被覆が損傷しないような部材で構成される。この実施形態では、取り囲み部材３０２は、ゲート３０１も含めて取付け部１０と同じ材料で外表面が形成され、内部に剛性の高い芯材（絶縁性の合成樹脂等）３０３が内蔵されている。
【００２１】
上記電線の確保部３０は、電線ＷＲ（横断面で示される）を、取り囲み部材３０２に囲まれる領域外から領域内にゲート３０１を介して移動させ、電線ＷＲの周辺を取り囲む。ゲート３０１は、その基端側の支軸ＡＸに図示しないトーションばね等が組み込まれており、矢印Ｄ１に示されるように、取り囲み部材３０２に囲まれる領域の内側に移動する方向に開き、かつ所定の外力が加えられないときは取り囲み部材として機能する閉じた状態を維持する。この実施形態では、支軸ＡＸ側とは反対側のゲート３０１の先端が取り囲み部材３０２の溝切り終端の頂壁に当接することで、ゲート３０１が閉じた状態を維持する。これにより、取り囲み部材３０２に囲まれる領域内に押し入れられた電線ＷＲは、電線の確保部３０として取り囲み部材３０２に取り囲まれたままの状態を維持する。
【００２２】
また、取り囲み部材３０２に囲まれる領域は、ゲート３０１の開閉の寸法も含めて、バインド線が巻き付いたままの電線でも余裕をもって取り囲める領域を有している。これにより、碍子から脱落したバインド線が巻き付いたままの電線ＷＲを、ゲート３０１を介して取り囲み部材３０２に囲まれる領域内へ押し入れることができる。これにより、電線ＷＲは、バインド線が巻き付いたまま碍子上に仮に預けられる形態をとることができる。
【００２３】
把持用部分４０は、取付け部１０の外部の表面に突出して設けられるもので、電線預け用キャップ１００の取り扱いのため、複数あってもよい。すなわち、取付け部１０を碍子に被せたり、バンド部材２０で締付け固定したりする際には間接活線工法が用いられる。したがって、把持用部分４０は、間接活線作業用工具で挟持するのに利便性が高いところに設けられることが好ましい。この実施形態における把持用部分４０は、取付け部１０の外表面の延出部分で構成され、開口部１０１よりも電線の確保部３０に近い位置に設けられている。
【００２４】
上記構成の電線預け用キャップによれば、碍子から脱落したバインド線が巻き付いたままの電線を、碍子に簡易に固定可能な電線預け用キャップに仮に預け、早急に安全な仮送電（または仮復旧）の状態にできる。
【００２５】
図２〜図４は、それぞれ図１の電線預け用キャップの使用例を順次示す外観図である。図２を参照すると、電柱における電線の引き通し箇所の碍子ＩＳＬにバインド線ＢＷで固定されていた電線ＷＲが脱落し、バインド線ＢＷが巻き付いたまま、電柱の腕金ＣＡに接触している。このような状況は、強風、バインド線の不具合や経年劣化等が原因で起こり得、前述したように、電線ＷＲを介してバインド線ＢＷが充電されていると、電線ＷＲと腕金ＣＡとの間に地絡事故を引き起こす危険性がある。よって、地絡事故を防ぐために、早急に電線を腕金から離し、電線を碍子に取り付けた状態に戻す作業が必要である。この作業は間接活線工法を採用し、ホットスティック等を利用する間接活線作業用工具が用いられる。
【００２６】
図３を参照すると、碍子ＩＳＬに、電線預け用キャップ１００が被せられ、固定されている。例えば、図示しない間接活線作業用工具で把持用部分４０を挟持するなどして、電線預け用キャップ１００を移動させる。取付け部１０の開口部１０１を碍子ＩＳＬの上部に被せることにより、取付け部１０の内部に碍子ＩＳＬの一部を侵入させる。その後、ヘッド部２０１ｈにテール部２０１ｔを通してリング状にしたケーブルタイ（結束バンド）２０１を、間接活線作業用工具を用いて、取付け部１０の周辺に配置する。テール部２０１ｔを引っ張り、取付け部１０の内部の表面を碍子ＩＳＬに密着させるように締め付ける。これにより、電線預け用キャップ１００が碍子ＩＳＬに固定される。
【００２７】
図４を参照すると、電線預け用キャップ１００の電線の確保部３０に電線ＷＲが確保されている。例えば、図示しない間接活線作業用工具で電線ＷＲを掴み、ゲート３０１を介して取り囲み部材３０２に囲まれる領域内へバインド線ＢＷが巻き付いたままの電線ＷＲを押し入れる。これにより、電線ＷＲは、バインド線ＢＷが巻き付いたまま碍子上に仮に預けられる形態をとることができる。
【００２８】
上記電線預け用キャップの使用例によれば、碍子ＩＳＬから脱落したバインド線ＢＷが巻き付いたままの電線ＷＲを、碍子ＩＳＬに簡易に固定される電線預け用キャップ１００に仮に預け、早急に安全な仮送電（または仮復旧）の状態にすることが可能である。これにより、電線ＷＲからバインド線ＢＷを取り外す作業や電線ＷＲを碍子に正常に取り付ける作業等は、その後余裕をもって慎重に行うことができる。
【００２９】
図５〜図９は、それぞれ図１の電線預け用キャップの構成の部分的な変形例を示す概観図である。図５と図６は把持用部分４０の変形例、図７は、取付け部１０の変形例、図８は、取付け部１０と電線の確保部３０の接続部分の変形例、図９は、電線の確保部３０のゲート構造の変形例をそれぞれ示す。
【００３０】
図５を参照すると、取付け部１０の外部の表面において、開口部１０１の縁部に、把持用部分としてフランジ状の把持用部分４０１が設けられている。また、図６を参照すると、取付け部１０の開口部１０１の近傍や開口部１０１の近傍から離れた取付け部１０の外部の表面に、図１の把持用部分４０と同様形状の把持用部分４０２が複数（四方に）設けられている。このように、把持用部分は、間接活線作業用工具で挟持するのに便利な任意の部分に設けられてよい。
【００３１】
また、図５または図６の構成によれば、取付け部１０の外表面から把持用部分が多く突出する形態により、取付け部１０を締め付けるバンド部材２０（ケーブルタイ２０１）のリング形状が、締め付け前において、操作を誤るなどして取付け部１０から脱落させてしまうのを防ぐ利点もある。
【００３２】
図７を参照すると、取付け部１０の開口部１０１の縁部に切れ込み部１０２が形成されている。切れ込み部１０２の終端１０３は円形カットされており、裂け防止に効果を発揮する。このような切れ込み部１０２は、開口部１０１を碍子の上部に被せ易くする利点があり、複数設けられてもよい。
【００３３】
図８を参照すると、取付け部１０と取り囲み部材３０２が別体となっており、樹脂性の留め具５０、あるいは樹脂ネジまたは絶縁ボルト等で取付け部１０と取り囲み部材３０２が着脱自在に結合される形態になっている。取付け部１０と取り囲み部材３０２のうちいずれかに不具合が生じた場合、取り外して交換が可能である。また、取付け部１０の開口部１０１（または取り囲み部材３０２）において、違うサイズが必要な場合、取り外して交換が可能である。
【００３４】
図９を参照すると、電線の確保部３０において、取り囲み部材３０２に組み込まれるゲート３０１の開閉動作が矢印Ｄ２に示すようであり、ゲート３０１は、取り囲み部材３０２で囲まれる領域の外側に開き、取り囲み部材３０２で囲まれる領域を作るように閉じる形態となっている。支軸ＡＸ側とは反対側のゲート３０１の先端が取り囲み部材３０２の溝切り終端の底壁に当接することで、ゲート３０１が閉じた状態を維持する。ゲート３０１の先端が当接する側の取り囲み部材３０２において、ネジの嵌め合い等によるゲートロック部材６０が設けられている。ゲートロック部材６０は、蝶ナット形状の回動式ロック部であり、つまみ部分６０１と、嵌め口の切欠きによるロック解除部分６０２とを有する。ゲートロック部材６０は、例えば、絶縁性プラスチックなどの、剛性の高い絶縁性樹脂で構成されている。
【００３５】
ゲートロック部材６０を回してロック解除部分６０２をゲート３０１の先端部上方に合わせれば、ゲート３０１はロック解除できる。ゲート３０１は、支軸ＡＸを中心に回動させて、取り囲み部材３０２の間を開けることができる（破線参照）。図示しない電線を取り囲み部材３０２間に移動させた後、上がっていたゲート３０１を下ろして、ゲート３０１が閉じた状態を維持する。このように、取り囲み部材３０２として機能するゲート３０１が閉じた状態にいて、ゲートロック部材６０を回してロックする（図９参照）。これにより、取り囲み部材３０２に囲まれる領域内に置かれた電線は、電線の確保部３０として取り囲み部材３０２に取り囲まれたままの状態を維持する。
【００３６】
図９の構成によれば、ゲートロック部材６０は、蝶ナット形状のつまみ部分６０１を有し、間接活線作業用工具で挟持し易いなど、扱いが楽である。また、つまみ部分６０１が両側に延出する正面と、ロック解除部分６０２の正面とを一致させている。これにより、ロック解除している時、つまみ部分６０１は、ゲート３０１が開く取り囲み部材３０２の間の領域に干渉しない。また、ゲート３０１は、開くときには取り囲み部材３０２で囲まれる領域の外側に移動する。これにより、特に取り囲み部材３０２に囲まれる領域内に確保した電線を、領域外に出すときの間接活線作業用工具の作業性に優れる。
【００３７】
上記図５〜図９それぞれの変形例の少なくともいずれか一つの構成は、図１の電線預け用キャップ１００の構成の対応する部分と置換えることができる。これにより、碍子から、バインド線が巻き付いたままの電線が脱落したとしても、巻き付いたバインド線の処置は後回しにして安全な仮送電（または仮復旧）を最優先できる電線預け用キャップを提供することができる。
【００３８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００３９】
１００…電線預け用キャップ
１０…取付け部
１０１…開口部
１０２…切れ込み部
１０３…切れ込み終端
２０…バンド部材
２０１…ケーブルタイ（結束バンド）
３０…電線の確保部
３０１…ゲート
３０２…取り囲み部材
３０３…芯材
４０，４０１，４０２…把持用部分
５０…留め具
６０…ゲートロック部材
６０１…つまみ部分
６０２…ロック解除部分
ＡＸ…支軸
ＩＳＬ…碍子
ＷＲ…電線
ＢＷ…バインド線
ＣＡ…腕金
【図１】
0005941127.tif 000002
【図２】
0005941127.tif 000003
【図３】
0005941127.tif 000004
【図４】
0005941127.tif 000005
【図５】
0005941127.tif 000006
【図６】
0005941127.tif 000007
【図７】
0005941127.tif 000008
【図８】
0005941127.tif 000009
【図９】
0005941127.tif 000010